(57)【要約】【課題】鼻当て部の調整によるルーペ本体どうしの光軸の収束点の観察対象からのずれが抑制される双眼ルーペを提供する。【解決手段】双眼ルーペ１は、眼鏡フレーム１と、眼鏡フレーム１のリム１ａに支持されるルーペ保持部材４と、ルーペ保持部材４の面に対し所定の角度で固定される左右のルーペ本体２と、鼻当て部６とを備える。鼻当て部６は、中央部１２で眼鏡フレーム１のブリッジ部１ｃに取り付けられて、中央部１２から使用者の鼻を両脇から挟むように延びる一対のパッド支持体１３を有する。鼻当て部６は、一対のパッド支持体１３どうしの間隔が異なる複数の種類が用意されて、その中から選択された鼻当て部６が中央部１２で前記ブリッジ部に取り付けられる。【選択図】図１
2019144373.tif 000002
【特許請求の範囲】
【請求項１】
手元の観察対象を拡大して見るための双眼ルーペであって、
左右一対のリム部、両方の前記リムを繋ぐブリッジ部、鼻当て部、を有する眼鏡フレームと、
前記リム部にそれぞれ支持される一対のルーペ保持部材と、
前記ルーペ保持部材に取り付けられて、それぞれが前記観察対象へ向くように前記ルーペ保持部材の面に対し所定の角度で固定される左右のルーペ本体と、
から構成され、
前記鼻当て部は、
前記ブリッジ部に着脱自在に取り付けられる中央部と、
前記中央部から使用者の鼻を両脇から挟むように延びる一対のパッド支持体と、
前記パッド支持体に装着されて使用者の鼻の両脇に接する鼻当てパッドと、
を備え、
前記鼻当て部は、一対の前記パッド支持体どうしの間隔が異なる複数の種類が用意されて、その中から選択された前記鼻当て部が前記中央部で前記ブリッジ部に取り付けられることを特徴とする双眼ルーペ。
【請求項２】
前記鼻当てパッドは、両方の前記パッド支持体に装着可能なよう馬蹄形状を有して、前記パッド支持体の間隔寸法に応じて変形自在な材料で構成されることを特徴とする請求項１に記載の双眼ルーペ。
【請求項３】
前記鼻当てパッドは、鼻の両脇に接する部分に隆起部を有することを特徴とする請求項２に記載の双眼ルーペ。
【請求項４】
前記鼻当てパッドは、前記隆起部とほぼ背中合わせに、前記パッド支持体に取り付けるための取付部を備えることを特徴とする請求項３に記載の双眼ルーペ。
【請求項５】
前記パッド支持体は、前記取付部と係合する取付孔を高さが異なる位置複数備えて、前記鼻当てパッドは、前記取付部が係合する前記取付孔に応じて、前記パッド支持体への取り付けの高さ位置が決まる請求項４に記載の双眼ルーペ。
【請求項６】
請求項１乃至５の何れか１項に記載の双眼ルーペの制作方法であって、
（Ａ）前記パッド支持体どうしの間隔が使用者の鼻の両脇間の距離に応じた寸法である前記鼻当て部を選定して前記ブリッジ部に取り付けるステップと、
（Ｂ）前記鼻当て部が取り付けられた前記眼鏡フレームを着用した状態での使用者の瞳孔間距離を測定して、左右の前記ルーペ保持部材の面上における右瞳孔位置（Ｘ１、Ｙ１）及び左瞳孔位置（Ｘ２、Ｙ２）を決定するステップと、
（Ｃ）前記鼻当て部が取り付けられた前記眼鏡フレームを着用した状態での左右両眼の視線の先の前記観察対象から前記キャリアレンズまでの距離Ａ及び前記キャリアレンズを通る鉛直線に直交する水平方向距離Ｂを測定して、左右の前記ルーペ保持部材の面にそれぞれ装着する前記ルーペ本体の下方装着角度ｒ１，ｒ２を決定するステップと、
（Ｄ）前記鼻当て部が取り付けられた前記眼鏡フレームを着用した状態での使用者の右瞳孔位置（Ｘ１、Ｙ１）及び左瞳孔位置（Ｘ２、Ｙ２）と前記観察対象の位置との関係に基づいて、左右の前記ルーペ保持部材の面に装着する前記ルーペ本体の各内側装着角度ｐ，ｑを決定するステップと、
（Ｅ）前記ブリッジ部から前記鼻当て部を外した状態で前記ルーペ保持部材の前記前記右瞳孔位置及び左瞳孔位置に開口を穿設し、前記ルーペ本体を前記開口に挿入し、前記下方装着角度ｒ１，ｒ２と、前記内側装着角度ｐ，ｑとを保持した状態で固定するステップと、
（Ｆ）前記鼻当て部を再度前記ブリッジ部に取り付けた状態で左右の前記ルーペ本体を通して照射した検査光の収束点が前記観察対象の位置であるかを検査することで双眼ルーペの仕上がりを判断するステップと、
の各ステップを有することを特徴とする双眼ルーペの製作方法。
【請求項７】
前記（Ｅ）のステップにおいて、前記鼻当て部を再度前記ブリッジ部に取り付けるとき、左右の前記ルーペ本体を通して照射したルーペ本体固定確認光の収束点が観察対象の位置で前記ルーペ本体を固定する請求項６に記載の双眼ルーペの製作方法。
【請求項８】
（Ｇ）前記鼻当て部を前記ブリッジ部に取り付けた状態で使用者への装着状態を確認、調整するステップ、
をさらに備える請求項６又は７に記載の双眼ルーペの製作方法。
【発明の詳細な説明】
【技術分野】
【０００１】
本発明は、医療手術や精密工作作業の際に使用される双眼ルーペの製造システムに関する。
【背景技術】
【０００２】
双眼ルーペは、手元の局所的な観察対象を拡大して視認する手段として、従来から、医療分野、精密工作、宝石加工等の各分野において広く使用されている。双眼ルーペには、使用者の耳に掛けて装着する眼鏡フレームを備えて、眼鏡フレームの左右のリムに取り付けられるルーペ支持部材にルーペ本体を装着するタイプのものが知られている（例えば、特許文献１を参照）。このタイプの双眼ルーペは、ルーペ支持部材の面に開口を穿孔して、開口にルーペ本体が挿入されて固定されるが、この場合、左右のルーペ本体は手元の観察対象（焦点）に向けて収束するように、前記ルーペ支持部材の面に対して所定の角度で傾けた状態で固定される。
【０００３】
一方、眼鏡フレームには、使用者の鼻の両脇を支持することで、眼鏡のずり落ちを防止する鼻当て部を備えられている。しかしながら、双眼ルーペにあっては、光学系を内蔵しているルーペ本体が装着されているため通常の眼鏡と比べて重くなりずれ落ちしやすくなっている。そのため、双眼ルーペでは、鼻当て部が使用者の鼻にフィットするように、念入りな調整を行って使用者に提供される。
【先行技術文献】
【特許文献】
【０００４】
【特許文献１】特開２０１７−１２９６７０号公報
【発明の概要】
【発明が解決しようとする課題】
【０００５】
このような調整は、一対の鼻当て部の間隔を使用者の鼻の形に応じて狭めたり広げたりすることで行われる。しかしながら、特許文献１の鼻当て部はそれぞれがフレームに固定されているために、鼻当て部の間隔を拡げたり縮めたりしたときフレームが撓み変形することになる。
【０００６】
そして、フレームが変形すると、フレームに支持されているルーペ支持部材も変形することになり、その結果、ルーペ本体の光軸もその変形方向に移動してしまい、ルーペ本体どうしの光軸の収束点がずれて、観察対象を鮮明に目視できなくなる。
【０００７】
本発明は、上記課題に鑑みてなされたものであって、鼻当て部の調整によるルーペ本体どうしの光軸の収束点の観察対象からのずれが抑制される双眼ルーペを提供する。
【課題を解決するための手段】
【０００８】
上記課題を解決するために、本発明は、手元の観察対象を拡大して見るための双眼ルーペであって、
左右一対のリム部、両方の前記リムを繋ぐブリッジ部、一対の前記リム部の中間に取り付けられる鼻当て部、を有する眼鏡フレームと、
前記リム部にそれぞれ支持される一対のルーペ保持部材と、
前記ルーペ保持部材に取り付けられて、それぞれが前記観察対象へ向くように前記ルーペ保持部材の面に対し所定の角度で固定される左右のルーペ本体と、
から構成され、
前記鼻当て部は、前記ブリッジ部に着脱自在に取り付けられる中央部と、前記中央部から使用者の鼻を両脇から挟むように延びる一対のパッド支持体と、前記パッド支持体に装着されて使用者の鼻の両脇に接する鼻当てパッドと、を備えて、
前記鼻当て部は、前記パッド支持体の間隔が異なる複数の種類が用意されて、その中から選択された前記鼻当て部が前記中央部によって前記ブリッジ部に取り付けられる。
【０００９】
さらに、前記鼻当てパッドは、鼻の両脇に接する部分に隆起部を有するようにすれば、鼻との密着性が向上する。
【００１０】
また、前記鼻当てパッドは、前記隆起部とほぼ背中合わせに、前記パッド支持体に取り付けるための取付部を備える。そして、前記パッド支持体は、前記取付部と係合する取付孔を高さが異なる位置複数備えて、前記鼻当てパッドは、前記取付部が係合する前記取付孔に応じて、前記パッド支持体への取り付けの高さ位置が決まる。
【００１１】
前記パッド支持体の間隔が異なる複数の種類が用意されて、その中から選択された前記鼻当て部が前記中央部によって前記ブリッジ部に取り付けるようにした双眼ルーペの製作方法は、
（Ａ）前記パッド支持体どうしの間隔が使用者の鼻の両脇間の距離に応じた寸法である前記鼻当て部を選定して前記ブリッジ部に取り付けるステップと、
（Ｂ）前記鼻当て部が取り付けられた前記眼鏡フレームを着用した状態での使用者の瞳孔間距離を測定して、左右の前記ルーペ保持部材の面上における右瞳孔位置（Ｘ１、Ｙ１）及び左瞳孔位置（Ｘ２、Ｙ２）を決定するステップと、
（Ｃ）前記鼻当て部が取り付けられた前記眼鏡フレームを着用した状態での左右両眼の視線の先の前記観察対象から前記キャリアレンズまでの距離Ａ及び前記キャリアレンズを通る鉛直線に直交する水平方向距離Ｂを測定して、左右の前記ルーペ保持部材の面にそれぞれ装着する前記ルーペ本体の下方装着角度ｒ１，ｒ２を決定するステップと、
（Ｄ）前記鼻当て部が取り付けられた前記眼鏡フレームを着用した状態での使用者の右瞳孔位置（Ｘ１、Ｙ１）及び左瞳孔位置（Ｘ２、Ｙ２）と前記観察対象の位置との関係に基づいて、左右の前記ルーペ保持部材の面に装着する前記ルーペ本体の各内側装着角度ｐ，ｑを決定するステップと、
（Ｅ）前記ブリッジ部から前記鼻当て部を外した状態で前記ルーペ保持部材の前記前記右瞳孔位置及び左瞳孔位置に開口を穿設し、前記ルーペ本体を前記開口に挿入し、前記下方装着角度ｒ１，ｒ２と、前記内側装着角度ｐ，ｑとを保持した状態で固定するステップと、
（Ｆ）前記鼻当て部を再度前記ブリッジ部に取り付けた状態で左右の前記ルーペ本体を通して照射した検査光の収束点が前記観察対象の位置であるかを検査することで双眼ルーペの仕上がりを判断するステップと、
（Ｇ）前記鼻当て部を前記ブリッジ部に取り付けた状態で使用者への装着状態を確認、調整するステップ、
の各ステップからなる。
【００１２】
ここで、（Ｅ）のステップにおいて、前記鼻当て部を再度前記ブリッジ部に取り付けるとき、左右の前記ルーペ本体を通して照射したルーペ本体固定確認光の収束点が観察対象の位置で前記ルーペ本体を固定するとよい。
【００１３】
この製作方法によれば、パッド支持体の間隔が異なる鼻当て部の中から使用者の鼻の形に応じた大きさの鼻当て部を選定して取り付けた眼鏡フレームを着用した状態で、左右の前記ルーペ保持部材の面上における左右の瞳孔位置、下方装着角度ｒ１，ｒ２及び内側装着角度ｐ，ｑを測定するために、測定結果は実際の使用に則したデータであるため使用者に適した双眼ルーペが制作される。
【発明の効果】
【００１４】
本発明の双眼ルーペによれば、パッド支持体をその中央部でブリッジ部に着脱自在に取り付ける構成であるから、双眼ルーペを製作する段階で使用者に合った鼻当て部を取り付けることができるため、完成後に鼻当て部を大きく調整することがない。また、若しパッド支持体の間隔を調整することになっても、鼻当て部は中央部でブリッジ部に取り付けられているため、パッド支持体はリム部とは直接的には連結されておらず、パッド支持体どうしの間隔調整でリム部が変形することがない。よって、ルーペ保持部材の変形で、ルーペ保持部材に取り付けられているルーペ本体どうしの光軸の収束点が観察対象からずれてしまうことがない。
【図面の簡単な説明】
【００１５】
【図１】本発明の実施形態に係る双眼ルーペの全体の構成図を示す。
【図２】双眼ルーペを着用して作業をしている状態の説明図を示す。
【図３】キャリアレンズにルーペを取り付ける際の下方装着角度の説明図を示す。
【図４】ルーペをキャリアレンズに取り付ける際の内側装着角度ｐ，ｑについての説明図を示す。
【図５】鼻当て部の構成を示し、（ａ）はクリングスの外観図を示し、（ｂ）は鼻当てパッドの外観図を示す。
【図６】鼻当てパッドの構成を斜視図で示す。
【図７】図５に示す鼻当て部において、パッド支持体どうしの間隔が異なる種々のタイプを示す。
【図８】クリングスの形状が異なる他の例の鼻当て部を、パッド支持体どうしの間隔が異なる種々のタイプで示す。
【図９】本発明の実施形態に係る双眼ルーペの製作手順を説明するフローチャートを示す。
【図１０】ルーペ本体の下方装着角度を求める一例の説明図を示す。
【図１１】ルーペ本体の内側装着角度を測定する一例の説明図を示す。
【図１２】製作した双眼ルーペにおけるルーペ本体どうしの光軸の収束点の、観察対象からのずれを確認する説明図を示す。
【発明を実施するための形態】
【００１６】
以下、本発明を図面に基づき説明する。図１及び図２は、本発明の一実施形態に係る双眼ルーペ１０を示している。双眼ルーペ１０は、眼鏡フレーム１と、作業対象の像を拡大するための左右両眼に対応するルーペ本体２と、ルーペ本体２を眼鏡フレーム１に取り付けるためのルーペ保持部材であるキャリアレンズ４と、鼻当て部６とで構成される。
【００１７】
眼鏡フレーム１は通常の眼鏡と略同じ構造を有しており、キャリアレンズ４が嵌め込まれるリム１ａと、使用者の両耳に掛けられるテンプル１ｂと、左右のリム１ａを繋ぐブリッジ１ｃと、鼻当て部６とを有する。眼鏡フレーム１を構成する素材には、錆び難く可撓性を有するチタン等の金属や合成樹脂等が使用される。そして、テンプル１ｂには、着用者の顔の両側を保護する遮蔽部材７や双眼ルーペを着用した状態で保持するためのストラップ８を、必要に応じて取り付けることができる。
【００１８】
キャリアレンズ４は、ルーペ本体２を支持する開口が穿設されており、ルーペ本体２はこの開口に嵌め込まれて、キャリアレンズ４の面に対して所定の角度で傾斜した状態で固定される。キャリアレンズ４を構成する素材は、必ずしも透明である必要はないが、観察者の手元方向の視野を広げるためには透明であることが好ましく、さらに視力の矯正を必要とする場合には矯正レンズを使用するが、視力の矯正が不要の場合は単なる透明ガラスであっても良い。この場合のレンズの材質は、ガラス又はプラスチックである。したがって、この場合のキャリアレンズ４は、ルーペ本体を支持するルーペ保持部材の機能と共に、必要に応じて、視力の矯正機能をも備えている。
【００１９】
ルーペ本体２は、鏡筒の中に、観察対象の像を所定の倍率、例えば２．５倍の倍率で調整された拡大の光学系を内蔵している。本例でのルーペ本体２は固定倍率であるが、画角を例えば所定の倍率の範囲内で調整可能なタイプも用いることができる。
【００２０】
ルーペ本体２をキャリアレンズ４に取り付ける際、左右のルーペ本体２が同じ焦点に向くように、それぞれキャリアレンズ４の面に対して所定角度で傾けた状態で取り付けられて固定される。この角度は、ルーペ本体２のキャリアレンズ４の平面を基準にしての下方装着角度ｒ及び内側装着角度ｐ，ｑである。また、ルーペ本体２のキャリアレンズ４への取り付け位置は、双眼ルーペの使用者の瞳孔間距離ＰＤによって決められる。
【００２１】
双眼ルーペ１０は、図２に示すような前傾姿勢を執って作業を行うときに、その手元の作業操作箇所Ｗの観察対象を拡大して観察するのに使用される。このとき、使用者は、左右のルーペ本体２を通して両眼の視線を手先の位置にある作業操作箇所Ｗに集中させている。下方装着角度ｒは、図３で示すように、キャリアレンズ４にルーペ本体２を取り付けるときに、キャリアレンズ４の面からの垂直線に対する下向きの取り付け角度であり、焦点である観察対象部Ｗからキャリアレンズ５までの距離Ｍとキャリアレンズ５の中心を通る鉛直線に直交する水平方向距離Ｎとで決まる角度βと、着用者が手術を行うときのキャリアレンズ５の前傾角度αとで求めることができる。
【００２２】
内側装着角度ｐ，ｑは、図４に示すように、ホルダ３に装着した左右のルーペ本体２の先端が焦点の観察対象部Ｗに向くように、内側（鼻当て部６側）へのそれぞれの傾斜角度である。このときの角度は、瞳孔間距離ＰＤ、詳細には中心線Ｌ上の鼻中央の位置Ｏより左右両眼の瞳孔中心までのそれぞれ距離ＰＤ１，ＰＤ２及び位置Ｏから作業操作箇所Ｗまでの距離により決定される。
【００２３】
そして、ルーペ本体２の接眼側には、必要に応じて焦点調整部５を取り付けることができる。焦点調整部５には、双眼ルーペ１０の使用者が左右のルーペ本体２で対象を拡大して観察する際の視力を矯正するために、ルーペ本体２に合せて用いられる遠距離或いは近距離を補正するレンズを備える。
【００２４】
鼻当て部６は、図５（ａ）に示すクリングス９と、図５（ｂ）に示す鼻当てパッド１５とから成る。クリングス９は、眼鏡フレーム１のブリッジ部１ｃにビスにより締付けて取り付けられる中央部１２と、中央部１２から下方へ使用者の鼻を両脇から挟むようにして延びている一対のパッド支持体１３とで構成される。中央部１２は、ブリッジ１ｃの側面、すなわち使用者の顔と対向する面に中央部１２でビスにより締付けて取り付けられる。
【００２５】
パッド支持体１３の先端には、箱型の収容部１４が設けられており、収容部１４には、パッド支持体１３の延びる方向に沿って複数の取付孔１４ａが形成されている。鼻当てパッド１５の後述する取付部１７は取付孔１４ａに嵌合して、鼻当てパッド１５はパッド支持体１３に取り付けられる。
【００２６】
鼻当てパッド１５は、図６に示すように、馬蹄形状のベース部１６と、ベース部１６から突出した、収容部１４と接続するための取付部１７と、ベース部１６から隆起した隆起部１８とを含んでいる。取付部１７は、ベース部１６の隆起部１８の形成面と反対側の面に設けられている。
【００２７】
ベース部１６は、柔軟で弾力性を有したエラストマ材料から形成されており、概略平行に延びる二つの鼻側面対向部１６ａと、二つの鼻側面対向部１６ａを接続する中間部１６ｂとを含む馬蹄形状を有している。エラストマ材料としては、例えばシリコンゴムなどを用いることができる。中間部１６ｂは、鼻側面対向部１６ａよりも幅が細くなっていることが好ましい。例えば、鼻側面対向部１６ａの幅を８．３ｍｍとするのに対して、中間部１６ｂの幅を４．５ｍｍとさせることが好ましい。このような構成により、中間部１６ｂをより変形させやすくなり、クリングス９への装着のために湾曲させることが容易となる。
【００２８】
隆起部１８は、エラストマ材料から形成されており、ベース部１６の長手方向の両端部にあって、パッド支持体１３に取り付けられる面とは反対の鼻と直接接する面に隆起するように設けられている。隆起部１８は、ベース部１６の厚さの半分程度の高さだけ表面から隆起していることが好ましい。例えば、ベース部１６の厚さを２．５ｍｍとしたときに、隆起部１８をベース部１６の面から１．３ｍｍだけ隆起していることが好ましい。
【００２９】
そして、隆起部１８は、ベース部１６と同じエラストマ材料から形成されていることが好ましく、エラストマ材料としては、ベース部１６と同様に、例えば、シリコンゴム、ウレタンゴム、フッ素ゴム、アクリルゴム、エチレンプロピレンゴム又はポリイソプレンゴム材の何れかを用いることができる。また、隆起部１８は、湾曲した凸状表面を有している。図示されている実施形態では、隆起部１８は、ベース部１６と別部材として形成され、ベース部１６に溶着されているが、ベース部１６と一体的に成形することも可能である。
【００３０】
取付部１７は、ベース部１６や隆起部１８を形成するエラストマ材料よりも硬い樹脂材料から形成されており、ベース部１６の長手方向の両端部においてパッド支持体１３に取り付けられる面から突出して設けられている。取付部１７は、隆起部１８の中心よりも中間部１６ｂ側に配置されることが好ましい。樹脂材料として、例えばポリエチレン、ポリプロピレンなどを用いることができる。
【００３１】
鼻当てパッド１５は、左右の取付部１７をそれぞれ左右のパッド支持体１３の同じ高さ位置にある取付孔１４ａに嵌合させることで、パッド支持体１３に取り付けられて鼻当て部６が完成する。クリングス９は、図７に示すように、パッド支持体１３どうしの間隔が異なる複数種類Ｍ，Ｓ，Ｏが用意されており、使用者の鼻の形状に応じて、最適な寸法のクリングス９が選択されて、鼻当てパッド１５が取り付けられる。このとき、取付部１７を嵌合させる取付孔１４ａを選択することで、鼻当てパッド１５に取り付ける高さ位置も調整でき、様々な鼻の形状に合わせて、鼻当てパッド１５と鼻との接触具合を調節することが可能となる。そして、クリングス９は、中央部１２をブリッジ１ｃの側面、すなわち使用者の顔と対向する面に中央部１２でビスにより締付けて取り付けられる。
【００３２】
図５に示した鼻当て部６は、両パッド支持体１３どうしの間隔は、中央部１２を中心とする両者の開放角度により決まるが、図８に示すクリングス９の他の例では、中央部１２の亘りの寸法を違えることで、パッド支持体１３どうしの間隔を異ならせており、Ｌ，Ｍ，Ｓ，Ｏの４種類が用意される。また、図８に示すクリングス９では、中央部１２は、ブリッジ１ｃの下面にビスにより締付けて取り付けられる。尚、鼻当てパッド１５は、前述したように可撓性と伸縮性を備えるために、図５及び図６の全てのタイプのクリングス９に取り付けることができる。
【００３３】
このように、双眼ルーペ１０は、使用者の鼻の形に応じてパッド支持体１３どうしの間隔が最適なクリングス９が選ばれるために、双眼ルーペ１０の製作後に使用者が試着したとき、パッド支持体１３どうしの間隔を大きく調整することがなく、間隔を拡げたり狭めたりすることでルーペ本体２の焦点にずれを生じてしまうことがない。そして、パッド支持体１３どうしの間隔を微調整のために多少拡げたり狭めたりするときでも、鼻当て部６は中央部１２でブリッジ１ｃに取り付けるために、パッド支持体１３を動かしても、それによって眼鏡フレーム１が歪み、ルーペ本体２の焦点にずれを生じることもない。
【００３４】
上記の双眼ルーペ１０の製作は、図９に示す手順に沿って進められる。以下、具体的に説明する。
【００３５】
（Ａ）使用者の鼻の形に応じた鼻当て部６の選択と装着
パッド支持体１３どうしの間隔が使用者の鼻の両脇間の距離に応じた寸法である鼻当て部６を選定して、その中央部１２をブリッジ部１ｃに取り付ける。
【００３６】
（Ｂ）瞳孔間距離の測定とキャリアレンズ４の面上での左右両眼の瞳孔と対向する位置の決定
瞳孔間距離を測定するには、ＰＤメーターを用いて測定するのが一般的である。ＰＤメーターは、一端に測定者用の見口、他方に被測定者が本体内部を見通す窓が設けられており、被測定者は、本体内部に映し出されている指標を注視するようこの窓に両眼を近づける。そして、測定者が、見口を覗きながら必要な操作を行って被測定者の左右の瞳孔を合致させたとき、ＰＤメーターはそのときの像を光学的に読み取ることで、瞳孔間距離及び被測定者の鼻中央より左右の瞳孔中心までの距離を測定して表示する。このとき、ＰＤメーターは、例えば、予め設定された両眼の焦点距離４０ｃｍに基づいて測定を行っている。瞳孔間距離ＰＤ、すなわち鼻中央の位置Ｃより左右両眼の瞳孔中心までのそれぞれ距離ＰＤ１，ＰＤ２が測定されて、右瞳孔位置（Ｘ１、Ｙ１）及び左瞳孔位置（Ｘ２、Ｙ２）に対応するキャリアレンズ４の面上でのルーペ本体２の取り付け位置を決定する。
【００３７】
（Ｃ）ルーペ本体の下方装着角度ｒ１，ｒ２の決定
ブリッジ部１ａから鼻当て部６をいったん取り外した眼鏡フレーム１を着用した使用者に、双眼ルーペ１０を着用したときに執る図２に示すような作業姿勢を再現してもらう。そして、この作業姿勢での、左右両眼の視線の先の対象部からキャリアレンズ４までの距離Ｍ及びキャリアレンズ４を通る鉛直線に直交する水平方向距離Ｎをメジャーで実測して、求めた距離Ａ，Ｂからこの辺に挟まれた角度βを求める。さらに、作業姿勢における前傾角度αを測定して、前傾角度α及び角度βから、左右のルーペ２をキャリアレンズ５に取り付ける際の下向きの角度である下方装着角度を導き出す。この場合、使用者の左右両側から測定して、左右のルーペ本体２のそれぞれの下方装着角度ｒ１，ｒ２求める。
【００３８】
下方装着角度ｒ１，ｒ２は、使用者の作業姿勢を側方から撮影した画像からコンピュータの演算処理により求めることができる。図１０は、使用者の作業姿勢を左側から撮影した画像を示しており、コンピュータは、次のプログラムで左側のルーペ本体２の下方装着角度ｒ１を求める。
【００３９】
先ず、双眼ルーペ１０の製作者が表示画面２２上での眼鏡フレーム１のテンプル部とフレーム１との接続部分６のポイントｐ１と作業操作箇所のポイントｐ２との２点を入力デバイスのマウス等にて直接ポイントアウトすることにより、コンピュータは、画像上のポイントｐ１とポイントｐ２の間の距離とカメラ１１Ｂの撮像倍率とから距離Ｍを演算する。
【００４０】
そして、製作者が表示画面２２上でキャリアレンズ５を通る鉛直線Ｖ１と水平方向で直交するポイントｐ３と作業操作箇所のポイントｐ２との２点をポイントアウトすることにより、コンピュータは、画像上のポイントｐ２とポイントｐ３の間の距離と撮像倍率とから実際のこの距離Ｎを演算することで、角度βを導き出す。
【００４１】
次に、製作者が表示画面２２上で作業者の背骨を通る鉛直線Ｖ１に対する作業者の後頭部の傾斜線Ｍ１とを画面上に描くことで、コンピュータは、作業者が掛けているフレーム１の前傾角度αを演算して、左のルーペ本体の下方装着角度ｒ１が導き出す。同様に使用者の作業姿勢を右側から撮影した画像についても同様の処理を行うことで、コンピュータは、右のルーペ本体の下方装着角度ｒ２を導き出す。
【００４２】
（Ｄ）ルーペ本体の内側装着角度ｐ，ｑの決定
瞳孔間距離の測定で電子的に特定した作業者の右瞳孔位置（Ｘ１、Ｙ１）及び左瞳孔位置（Ｘ２、Ｙ２）に対応して、左右のキャリアレンズ５に施したマーク（×印）までの距離を測定する。測定はメジャーを用いて計測しても良いが、図１１に示すレーザー計測機２１が利用できる。このときの測定手順としては、作業者の顔面をレーザーシールドした上で、レーザー計測機２１をフレーム１の中心点Ｏを通る中心線Ｌ上の作業操作箇所Ｗに設置する、そして、この状態でレーザー計測機２１の位置を変更することなく、レーザー照射口２１ａが左右のキャリアレンズ４の各マーキング箇所にレーザー光が当たるようにレーザー計測機２１を左右に振ることで、各マーキング箇所まで距離Ｃ，Ｄが計測されて表示部２１ｂにそれぞれ表示される。そして、既に求めている鼻中央の位置Ｏより左右両眼の瞳孔中心までのそれぞれ距離ＰＤ１，ＰＤ２と距離Ｃ，Ｄから内側装着角度ｐ，ｑが求めることができる。
【００４３】
このように、ルーペ本体２の各内側装着角度ｐ，ｑは、前記鼻当て部が取り付けられた前記眼鏡フレームを着用した状態での使用者の右瞳孔位置（Ｘ１、Ｙ１）及び左瞳孔位置（Ｘ２、Ｙ２）と観察対象の位置（作業操作箇所Ｗ）との関係に基づいて決定されるが、この場合、作業操作箇所Ｗからフレーム１の中心点Ｏまでの距離Ｇを測定し、この距離Ｇと距離Ｃ，Ｄからでも各内側装着角度ｐ，ｑ求めることができる。或いは、距離Ｇと距離ＰＤ１，ＰＤ２とでも、各内側装着角度ｐ，ｑ求めることができる。
【００４４】
（Ｅ）ルーペ本体をキャリアレンズに取り付ける
鼻当て部６をいったんブリッジ部１ａから取り外して、画像データから得た右瞳孔位置（Ｘ１、Ｙ１）及び左瞳孔位置（Ｘ２、Ｙ２）の値と、求めた下方装着角度ｒ１，ｒ２及び内側装着角度ｐ，ｑとからキャリアレンズ５にルーペ本体２を挿入する位置をＮＣ加工機にプログラムし、挿入部分を切削加工してキャリアレンズ５の表面を刳り抜いて開口を穿設する。そして、開口の穿設後、ルーペ本体２を開口からキャリアレンズ５に挿入し、レーザー位置決め機によって、下方装着角度ｒ１，ｒ２及び内側装着角度ｐ，ｑの調整を行い取付部３によりルーペ本体２を開口に嵌め込み接着材にて接着する。このとき、ブリッジ部１ｃに取り付けた状態で、左右のルーペ本体２を通して照射したルーペ本体固定確認光の収束点が観察対象の位置でルーペ本体２を固定する。
【００４５】
（Ｆ）双眼ルーペの仕上がりの判定
ルーペ本体２の固定を確認するために、左右の前記ルーペ本体２を通して照射した左右のレーザー光の収束点が観察対象の位置であるかを検査することで双眼ルーペ１０の仕上がりを判断する。例えば、双眼ルーペ１０による観察対象Ｗの位置に５ミリメートルの方眼を備える図１２に示すスクリーン２０を配置して、レーザー光を各ルーペ本体２から照射する。収束点が観察対象の位置で一致していると（ａ）に示すように、１個のスポットＳのみが現れる。
【００４６】
ルーペ本体２をキャリアレンズ５に取り付ける際に誤差があると、図１２の（ｂ）乃至（ｄ）に示すように、レーザー光の収束点が観察対象の位置と一致せずに２個のスポットＳ１，Ｓ２が現れる。（ｂ）は、内側装着角度ｐ,ｑに誤差があって、ルーペ本体２の互いの光軸が横にずれを生じているときである。（ｃ）は、内側装着角度ｐ,ｑに加えて、下方装着角度ｒ１，ｒ２にも誤差があって、ルーペ本体２の互いの光軸が横と上下の何れにもずれを生じているときである。（ｄ）は、下方装着角度ｒ１，ｒ２に誤差があって、ルーペ本体２の互いの光軸が上下でずれを生じているときである。この結果に基づき、ルーペ本体２の光軸の収束点が観察対象の位置と一致するよう調整される。
【００４７】
（Ｇ）鼻当て部の調整
鼻当て部６をブリッジ部１ｃに取り付けた状態で使用者への装着状態を確認、調整する。
【００４８】
本双眼ルーペの製作方法によれば、使用者の鼻の形に応じた鼻当て部６が取り付けられた眼鏡フレームを着用した状態で、瞳孔間距離や下方装着角度ｒ１，ｒ２及び内側装着角度ｐ,ｑを求めるために、結果は使用者の実情に合っており、収束点と観察対象の位置とには大きな差は生じない。したがって、調整する場合でも、パッド支持体１３に若干の変形を加える或いは取付孔１４ａに高さ位置を変えて、ルーペ本体２の光軸を観察対象の位置に収束させる程度ですみ、ルーペ本体２を付け替える等の大規模な修正を行う必要がない。
【符号の説明】
【００４９】
１      眼鏡フレーム
１ａ    リム部
１ｃ    ブリッジ部
２      ルーペ本体
４      キャリアレンズ（ルーペ保持部材）
６      鼻当て部
１０    双眼ルーペ
１２    中央部
１３    パッド支持体
１４ａ  取付孔
１５    鼻当てパッド
１７    取付部
１８    隆起部
【図１】
2019144373.tif 000003
【図２】
2019144373.tif 000004
【図３】
2019144373.tif 000005
【図４】
2019144373.tif 000006
【図５】
2019144373.tif 000007
【図６】
2019144373.tif 000008
【図７】
2019144373.tif 000009
【図８】
2019144373.tif 000010
【図９】
2019144373.tif 000011
【図１０】
2019144373.tif 000012
【図１１】
2019144373.tif 000013
【図１２】
2019144373.tif 000014